(57)【特許請求の範囲】
【請求項１】
空気調和機の運転状態を表示する表示装置と、前記空気調和機の運転を操作する操作手段と、現在の時刻を設定する時刻設定手段と、現在の日付けを設定する日付け設定手段と、前記表示装置を暗がりでも見やすいように後ろから照らすバックライトと、マイクロコンピュータとを備え、前記マイクロコンピュータは、前記日付け設定手段で設定された前記現在の日付けに基づき昼間と夜間の時間を自動的に設定し、前記操作手段が操作された場合は、前記時刻設定手段が設定した現在時刻から昼間・夜間を判断し、夜間と判断した場合は、前記バックライトを一定時間点灯させ、昼間と判断した場合は、前記バックライトを点灯させないことを特徴とする空気調和機のワイヤレスリモコン装置。
【請求項２】
空気調和機の運転状態を表示する表示装置と、前記空気調和機の運転を操作する操作手段と、現在の時刻を設定する時刻設定手段と、夜時間・昼時間を設定する夜時間・昼時間設定手段と、前記表示装置を暗がりでも見やすいように後ろから照らすバックライトと、マイクロコンピュータとを備え、前記マイクロコンピュータは、前記操作手段が操作された場合、前記夜時間・昼時間設定手段にて設定された前記夜時間・昼時間と、前記時刻設定手段が設定した現在時刻から昼間・夜間を判断し、夜間と判断した場合は、前記バックライトを一定時間点灯させ、昼間と判断した場合は、前記バックライトを点灯させないことを特徴とする空気調和機のワイヤレスリモコン装置。
【請求項３】
時刻が未設定の場合は、操作手段を操作するとマイクロコンピュータがバックライトを一定時間点灯させることを特徴とする請求項１又は請求項２記載の空気調和機のワイヤレスリモコン装置。
【請求項４】
時刻が未設定の場合は、バックライトを点灯させないことを特徴とする請求項１又は請求項２記載の空気調和機のワイヤレスリモコン装置。
【請求項５】
当該ワイヤレスリモコン装置回りの明暗を検知する明暗センサーを備え、昼間でも前記表示装置が見えにくい状況になれば、前記操作手段が操作された場合、前記バックライトを一定時間点灯させ、前記明暗センサーが一定の明るさを検知すると夜間に前記操作手段が操作された場合でも前記バックライトを点灯させないことを特徴とする請求項１又は請求項２記載の空気調和機のワイヤレスリモコン装置。
【請求項６】
音感センサーを備え、前記音感センサーが音声を検知すると前記バックライトを一定時間点灯させることを特徴とする請求項１又は請求項２記載の空気調和機のワイヤレスリモコン装置。
【請求項７】
人間の体温を検知する温度センサーを備え、前記温度センサーが人間の体温を検知している間前記バックライトを点灯させることを特徴とする請求項１又は請求項２記載の空気調和機のワイヤレスリモコン装置。
【発明の詳細な説明】
【０００１】
【発明の属する技術分野】
この発明は、バックライトを搭載した空気調和機のワイヤレスリモコン装置に関するものである。
【０００２】
【従来の技術】
図９は、従来のバックライトを搭載したワイヤレスリモコン装置の正面図と側面図である。図において、ワイヤレスリモコン１のバックライト点灯ボタン２を押すことによってＬＣＤ表示３のバックライト４が点灯する。
【０００３】
次に動作について説明する。図１０は従来のワイヤレスリモコン装置のバックライト点灯制御のフローチャート図である。回りが暗くＬＣＤ表示３が見えにくいとき（ステップ２０）、ワイヤレスリモコン１のバックライト点灯ボタン２を押すと（ステップ２１）、一定時間ＬＣＤ表示３のバックライト４が点灯し（ステップ２２）、ＬＣＤ表示が見やすくなる（ステップ２３）。
【０００４】
【発明が解決しようとする課題】
従来のバックライトを搭載したワイヤレスリモコン装置では、特にバックライトが必要ではないときでもバックライト点灯ボタンを押すとたえず点灯するため電池の寿命が短くなるという問題点があった。
またバックライト点灯ボタンを意識的に押す必要があり操作性が悪いという問題点もあった。
【０００５】
この発明は、上記のような課題を解消するためになされたもので、ワイヤレスリモコンのバックライトの点灯を時刻で制御することによって電池の寿命を延ばすこと、バックライトのＯＮ・ＯＦＦをバックライト点灯ボタンを設けないで通常操作で行うことによって操作性向上を図るものである。
【０００６】
【課題を解決するための手段】
請求項１の発明に係る空気調和機のワイヤレスリモコン装置は、空気調和機の運転状態を表示する表示装置と、空気調和機の運転を操作する操作手段と、現在の時刻を設定する時刻設定手段と、現在の日付けを設定する日付け設定手段と、表示装置を暗がりでも見やすいように後ろから照らすバックライトと、マイクロコンピュータとを備え、マイクロコンピュータは、日付け設定手段で設定された現在の日付けに基づき昼間と夜間の時間を自動的に設定し、操作手段が操作された場合は、時刻設定手段が設定した現在時刻から昼間・夜間を判断し、夜間と判断した場合は、バックライトを一定時間点灯させ、昼間と判断した場合は、バックライトを点灯させないことを特徴とする。
【０００７】
請求項２の発明に係る空気調和機のワイヤレスリモコン装置は、空気調和機の運転状態を表示する表示装置と、空気調和機の運転を操作する操作手段と、現在の時刻を設定する時刻設定手段と、夜時間・昼時間を設定する夜時間・昼時間設定手段と、表示装置を暗がりでも見やすいように後ろから照らすバックライトと、マイクロコンピュータとを備え、マイクロコンピュータは、操作手段が操作された場合、夜時間・昼時間設定手段にて設定された夜時間・昼時間と、時刻設定手段が設定した現在時刻から昼間・夜間を判断し、夜間と判断した場合は、バックライトを一定時間点灯させ、昼間と判断した場合は、バックライトを点灯させないことを特徴とする。
【０００８】
請求項３の発明に係る空気調和機のワイヤレスリモコン装置は、請求項１又は請求項２記載のものにおいて、時刻が未設定の場合は、操作手段を操作するとマイクロコンピュータがバックライトを一定時間点灯させることを特徴とする。
【０００９】
請求項４の発明に係る空気調和機のワイヤレスリモコン装置は、請求項１又は請求項２記載のものにおいて、時刻が未設定の場合は、バックライトを点灯させないことを特徴とする。
【００１０】
請求項５の発明に係る空気調和機のワイヤレスリモコン装置は、請求項１又は請求項２記載のものにおいて、ワイヤレスリモコン装置回りの明暗を検知する明暗センサーを備え、昼間でも表示装置が見えにくい状況になれば、記操作手段が操作された場合、バックライトを一定時間点灯させ、明暗センサーが一定の明るさを検知すると夜間に操作手段が操作された場合でもバックライトを点灯させないことを特徴とする。
【００１１】
請求項６の発明に係る空気調和機のワイヤレスリモコン装置は、請求項１又は請求項２記載のものにおいて、音感センサーを備え、音感センサーが音声を検知するとバックライトを一定時間点灯させることを特徴とする。
【００１２】
請求項７の発明に係る空気調和機のワイヤレスリモコン装置は、請求項１又は請求項２記載のものにおいて、人間の体温を検知する温度センサーを備え、前記温度センサーが人間の体温を検知している間前記バックライトを点灯させることを特徴とする。
【００１３】
【発明の実施の形態】
実施の形態１．
以下、この発明の実施の形態１を図面を参照して説明する。図１は、この実施の形態１によるワイヤレスリモコン装置の正面図と側面図である。図において、ワイヤレスリモコン１は、空気調和機の状態を表示する表示手段であるＬＣＤ３、ＬＣＤ３を暗がりでも見やすいよう後ろから照らすバックライト４、空気調和機の運転を選択する操作手段である操作ボタン５、日付けの設定をする日付け設定手段である月、日ボタン６、時刻の設定をする時刻設定手段である時、分ボタン７、時計により昼、夜を判定するマイクロコンピュータ（マイコン）８を内蔵している。
【００１４】
次に動作を説明する。
始めに現在の日付けを月、日ボタン６で、現在の時刻を時、分ボタン７で設定する。現在の日付けによりマイクロコンピュータ８が昼間と夜間の時間を自動的に設定する。次に操作ボタン５を押すことによりマイクロコンピュータ８が現在時刻により昼間、夜間と判断する。マイクロコンピュータ８が夜間と判断することによって空気調和機の状態を表示するＬＣＤ３に内蔵してあるバックライト４を一定時間点灯させる。マイクロコンピュータ８が昼間と判断すると操作ボタン５を押してもバックライト４を点灯させない。
【００１５】
従来のワイヤレスリモコンは、夜ＬＣＤ表示が見にくいときに意識的にＬＣＤライト点灯ボタンを押さなければならなかったが、実施の形態１では、ＬＣＤライト点灯ボタンを設けなくてもマイコン８が月日により昼、夜を判定し自動的に点灯、消灯を行うため操作性向上となり、従来無意味なＬＣＤライト点灯ボタンによる電池消費も押さえることができる。
【００１６】
ユーザが始めに現在時刻を時、分ボタン７で設定しなかった場合でも、操作ボタン５を押すと、マイクロコンピュータ８が空気調和機の状態を表示するＬＣＤ３に内蔵してあるバックライト４を一定時間点灯させる。
【００１７】
また、ユーザが始めに現在時刻を時、分ボタン７で設定しなかった場合、操作ボタン５を押してもバックライト４が点灯しないようにしてもよい。それにより電池消費を押さえることができる。
【００１８】
実施の形態２．
以下、この発明の実施の形態２を図面を参照して説明する。図２は、この実施の形態２によるワイヤレスリモコンの正面図と側面図である。図において、ワイヤレスリモコン１は空気調和機の状態を表示するＬＣＤ３、ＬＣＤ３を暗がりでも見やすいよう後ろから照らすバックライト４、空気調和機の運転を選択する操作ボタン５、昼時間、夜時間を設定をする昼時間、夜時間設定手段である昼時間、夜時間設定用時、分ボタン９、時刻の設定をする時、分ボタン７、時計により昼、夜を判定するマイクロコンピュータ８を内蔵している。
【００１９】
次に動作を説明する。
始めに昼時間、夜時間を昼時間、夜時間設定用時、分ボタン９で、現在の時刻を時、分ボタン７で設定する。次に操作ボタン５を押すことによりマイクロコンピュータ８が現在時刻と設定された昼時間、夜時間から昼間、夜間を判断する。マイクロコンピュータ８が夜間と判断することによって空気調和機の状態を表示するＬＣＤ３に内蔵してあるバックライト４を一定時間点灯させる。マイクロコンピュータ８が昼間と判断すると操作ボタン５を押してもバックライト４を点灯させない。
【００２０】
従来のワイヤレスリモコンでは、夜ＬＣＤ表示が見にくいときに意識的にＬＣＤライト点灯ボタンを押さなければならなかったが、実施の形態２では、ＬＣＤライト点灯ボタンを設けなくても使用者が昼時間、夜時間を任意に設定することによりマイコン８が昼、夜を判定し自動的に点灯、消灯を行うため操作性が向上すると共に、無意味なＬＣＤライト点灯による電池消費も押さえることができる。
【００２１】
実施の形態３．
以下、この発明の実施の形態３を図面を参照して説明する。図３は実施の形態３のリモコンにリモコン回りの明暗を検知する明暗センサー１０（例えばｃｄｓ）を内蔵したものである。
【００２２】
次に動作を説明する。
本実施の形態は、実施の形態１の制御に加え、明暗センサー１０が一定の暗さを検知すると昼間でも操作ボタン５を押すことによってバックライトが一定時間点灯する。
【００２３】
実施の形態３では、実施の形態１の効果に加え、昼間でもＬＣＤ表示が見えにくい状況になれば操作ボタン５を押すことによってバックライト４が自動的に点灯し操作性が向上する。
【００２４】
また、本実施の形態では、明暗センサー１０が一定の明るさを検知すると夜間に操作ボタン５を押してもバックライト４が点灯しないようにすることにより、夜間でもＬＣＤ表示が問題なく見える状況になれば操作ボタン５を押してもバックライト４が点灯しないため電池消費を抑えることができる。
【００２５】
実施の形態４．
以下、この発明の実施の形態４を図面を参照して説明する。図４は実施の形態２のリモコンにリモコン回りの明暗を検知する明暗センサー１０を内蔵したものである。
【００２６】
次に動作を説明する。
本実施の形態は、実施の形態２の制御に加え明暗センサー１０が一定の暗さを検知すると昼間でも操作ボタン５を押すことによってバックライトが一定時間点灯する。
【００２７】
実施の形態４では、実施の形態２の効果に加え、昼間でもＬＣＤ表示が見えにくい状況になれば操作ボタン５を押すことによってバックライト４が自動的に点灯し操作性が向上する。
【００２８】
また、本実施の形態では、明暗センサー１０が一定の明るさを検知すると夜間に操作ボタンを押してもバックライトが点灯しないようにすることにより、夜間でもＬＣＤ表示が問題なく見える状況になれば操作ボタン５を押してもバックライト４が点灯しないため電池消費を抑えることができる。
【００２９】
実施の形態５．
以下、この発明の実施の形態５を図面を参照して説明する。図５は実施の形態１のリモコンに音感センサー１１（例えばマイクロホン）を内蔵したものである。
【００３０】
次に動作を説明する。
本実施の形態は、実施の形態１の制御に加え、夜間音感センサー１１が音声等を検知するとバックライト４が一定時間点灯する。
【００３１】
実施の形態５では、実施の形態１の効果に加え夜間、暗い部屋でワイヤレスリモコンの有り場所がわからなくても音声等によりバックライト４が点灯するため容易にワイヤレスリモコンを容易に探しだすことができる。
【００３２】
実施の形態６．
以下、この発明の実施の形態６を図面を参照して説明する。図６は実施の形態２のリモコンに音感センサー１１を内蔵したものである。
【００３３】
次に動作を説明する。
本実施の形態は、実施の形態２の制御に加え、夜間音感センサー１１が音声等を検知するとバックライト４が一定時間点灯する。
【００３４】
実施の形態６では、実施の形態２の効果に加え夜間、暗い部屋でワイヤレスリモコンの有り場所がわからなくても音声等によりバックライト４が点灯するため容易にワイヤレスリモコンを容易に探しだすことができる。
【００３５】
実施の形態７．
以下、この発明の実施の形態７を図面を参照して説明する。図７は実施の形態１のリモコンに温度センサー１２（例えばサーミスタ）を内蔵したものである。
【００３６】
次に動作を説明する。
本実施の形態は、実施の形態１の制御に加え、夜間温度センサー１２が人間の体温を検知している間バックライト４が点灯する。
【００３７】
実施の形態７では、実施の形態１の効果に加え、人間の体温を検知しバックライト４を点灯させることからワイヤレスリモコンを手に持って操作する場合、特にバックライト４を点灯させる操作を行わなくても自動的に点灯することから操作性が向上する。
【００３８】
実施の形態８．
以下、この発明の実施の形態８を図面を参照して説明する。図８は実施の形態２のリモコンに温度センサー１２を内蔵したものである。
【００３９】
次に動作を説明する。
本実施の形態は、実施の形態２の制御に加え、夜間温度センサー１１ａが人間の体温を検知している間バックライト４が点灯する。
【００４０】
実施の形態８では、実施の形態２の効果に加え、人間の体温を検知しバックライト４を点灯させることからワイヤレスリモコンを手に持って操作する場合、特にバックライト４を点灯させる操作を行わなくても自動的に点灯することから操作性が向上する。
【００４１】
【発明の効果】
請求項１の発明に係る空気調和機のワイヤレスリモコン装置は、空気調和機の運転状態を表示する表示装置と、空気調和機の運転を操作する操作手段と、現在の時刻を設定する時刻設定手段と、現在の日付けを設定する日付け設定手段と、表示装置を暗がりでも見やすいように後ろから照らすバックライトと、マイクロコンピュータとを備え、マイクロコンピュータは、日付け設定手段で設定された現在の日付けに基づき昼間と夜間の時間を自動的に設定し、操作手段が操作された場合は、時刻設定手段が設定した現在時刻から昼間・夜間を判断し、夜間と判断した場合は、バックライトを一定時間点灯させ、昼間と判断した場合は、バックライトを点灯させないので電池の寿命を延ばし、操作性を向上できる。
【００４２】
請求項２の発明に係る空気調和機のワイヤレスリモコン装置は、空気調和機の運転状態を表示する表示装置と、空気調和機の運転を操作する操作手段と、現在の時刻を設定する時刻設定手段と、夜時間・昼時間を設定する夜時間・昼時間設定手段と、表示装置を暗がりでも見やすいように後ろから照らすバックライトと、マイクロコンピュータとを備え、マイクロコンピュータは、操作手段が操作された場合、夜時間・昼時間設定手段にて設定された夜時間・昼時間と、時刻設定手段が設定した現在時刻から昼間・夜間を判断し、夜間と判断した場合は、バックライトを一定時間点灯させ、昼間と判断した場合は、バックライトを点灯させないので、電池の寿命を延ばし、操作性を向上できる。
【００４３】
請求項３の発明に係る空気調和機のワイヤレスリモコン装置は、請求項１又は請求項２記載のものにおいて、時刻が未設定の場合は、操作手段を操作するとマイクロコンピュータがバックライトを一定時間点灯させるので、操作性を向上できる。
【００４４】
請求項４の発明に係る空気調和機のワイヤレスリモコン装置は、請求項１又は請求項２記載のものにおいて、時刻が未設定の場合は、バックライトを点灯させないので、電池の寿命を延ばすことができる。
【００４５】
請求項５の発明に係る空気調和機のワイヤレスリモコン装置は、請求項１又は請求項２記載のものにおいて、ワイヤレスリモコン装置回りの明暗を検知する明暗センサーを備え、昼間でも表示装置が見えにくい状況になれば、記操作手段が操作された場合、バックライトを一定時間点灯させ、明暗センサーが一定の明るさを検知すると夜間に操作手段が操作された場合でもバックライトを点灯させないので、電池の寿命を延ばし、操作性を向上できる。
【００４６】
請求項６の発明に係る空気調和機のワイヤレスリモコン装置は、請求項１又は請求項２記載のものにおいて、音感センサーを備え、音感センサーが音声を検知するとバックライトを一定時間点灯させるので、暗い部屋でも容易にワイヤレスリモコン装置を探し出すことができる。
【００４７】
請求項７の発明に係る空気調和機のワイヤレスリモコン装置は、請求項１又は請求項２記載のものにおいて、人間の体温を検知する温度センサーを備え、温度センサーが人間の体温を検知している間バックライトを点灯させるので、操作性を向上できる。
【図面の簡単な説明】
【図１】この発明の実施の形態１による空気調和機のワイヤレスリモコン装置の正面図と側面図である。
【図２】この発明の実施の形態２による空気調和機のワイヤレスリモコン装置の正面図と側面図である。
【図３】この発明の実施の形態３による空気調和機のワイヤレスリモコン装置の正面図と側面図である。
【図４】この発明の実施の形態４による空気調和機のワイヤレスリモコン装置の正面図と側面図である。
【図５】この発明の実施の形態５による空気調和機のワイヤレスリモコン装置の正面図と側面図である。
【図６】この発明の実施の形態６による空気調和機のワイヤレスリモコン装置の正面図と側面図である。
【図７】この発明の実施の形態７による空気調和機のワイヤレスリモコン装置の正面図と側面図である。
【図８】この発明の実施の形態８による空気調和機のワイヤレスリモコン装置の正面図と側面図である。
【図９】従来の空気調和機のワイヤレスリモコン装置の正面図と側面図である。
【図１０】従来の空気調和機のワイヤレスリモコン装置の制御を説明するフローチャート図である。
【符号の説明】
１  ワイヤレスリモコン、３  ＬＣＤ、４  バックライト、５  操作ボタン、６  月、日ボタン、７  時、分ボタン、８  マイクロコンピュータ、９  昼時間、夜時間設定用時、分ボタン、１０  明暗センサー、１１  音感センサー、１２
温度センサー。
【図１】
0003590471.tif 000002
【図２】
0003590471.tif 000003
【図３】
0003590471.tif 000004
【図４】
0003590471.tif 000005
【図５】
0003590471.tif 000006
【図６】
0003590471.tif 000007
【図７】
0003590471.tif 000008
【図８】
0003590471.tif 000009
【図９】
0003590471.tif 000010
【図１０】
0003590471.tif 000011